(57)【要約】【課題】  使用方法が極簡単で、家計にやさしい格安のダニ取り器を提供することを目的とする。【解決手段】  チャック付ビニール袋の上面にダニ入口とダニ這い上り坂を形成して構成した。  これにより、本発明に餌を入れ、適所に配置すれば、ダニ取り器が発散する匂いに、誘われた多数のダニが、ビニール袋内に入り、餌に群がるので効果的に捕獲することができる。  捕獲後は、そのままごみ袋に入れて簡単、且、衛生的に捨てることができる。【選択図】図１
2019146558.tif 000002
【特許請求の範囲】
【請求項１】
小巾でチャック付ビニール袋の開口部に長めのダニ這い上り坂を形成すると共に該上側を短かめにするか、∪字状に切欠き、ビニール袋の上面には、ダニが通る程度のダニ入口を開けた円すい孔または円孔を複数開け、ると共に、該周りに通気孔を複数開け、また、ビニール袋とダニ這い上り坂の表面には刻み加工
2019146558.tif 000006
ニール袋を利用したダニ取り器。
【請求項２】
ビニール袋に代えて、和紙または西洋紙で形成することを特徴とする請求項１記載のチャック付ビニール袋を利用したダニ取り器。
【発明の詳細な説明】
【技術分野】
【０００１】  本発明は、チャック付ビニール袋を利用したダニ取り器に関する。
【背景技術】
【０００２】  従来、ダニ取り器は各種あるが、どれも高価であるため利用し難かった。
【先行技術】
【０００３】
【特許文献】１、特許第５９１２１６８号  ダニ取り器  ２、特許第５９１２２０４号  ダニ取り器  ３、特許第６０３０７８９号  ダニ取り器  ４、特許第６０３４５２３号  ダニ取り器
【発明の概要】
【発明が解決しようとする課題】
【０００４】  ダニを確実に捕獲するダニ取り器を、家計にやさしい格安の価格で提供することを目的とする。
【課題を解決するための手段】
【０００５】  実施例１の図１から図３は、小巾でチャック付ビニール袋の開口部に長めのダニ這い上り坂を形成すると共に該上側を短かめにするか、∪字状に切欠き、ビニール袋の上面には、ダニが通る程度のダニ入口を開けた円すい孔または円孔を複数開けると共に、該回りに通気孔を複数開け、また、ビニール袋とダニ這い上り坂
2019146558.tif 000003
【０００６】  なお、ダニが入りやすいように、ビニール袋の上面を黒色にし、下面は透明にしてダニの捕獲状況が分るようにしたがよい。
また、ダニ入口を下面に開けて、下面のダニが入りやすいようにしてもよい。【０００７】  実施例２は、実施例１（図１から図３）と同構造のものを和紙または西洋紙で形成するものである。
【発明の効果】
【０００８】  ダニを捕獲する時は、図３のように、ビニール袋内に餌を入れ、チャックを閉めれば、餌はビニール袋内に密閉され、ダニ入口と通気孔から匂いを発散する。
2019146558.tif 000004
散される匂いに誘われたダニは、ダニ入口からビニール袋内に連続的に入って餌に群がるので、多量のダニを効果的に捕獲することができる。【０００９】  このとき、ビニール袋には長めのダニ這い上り坂を設けて床になじみやすくし、且、上側を切り欠いて、段状にしたので、ダニは這い上りやすく、這い上ったダニはビニール袋内に入り、効果的に捕獲することができる。また、ダニ入口は、円すい効果で入りやすく、且、入ったダニは逃がれないので、この点からも、有効に捕獲することができる。
更に、ビニール袋上面とダニ這い上り坂は刻みを形成したのでダニは這い上りやすく、また、ビニール袋にはダニ入口と通気孔があり、換気性が良いので、ダニは嫌気せずにビニール袋内に入る。
したがって、捕獲効果を更に増大することができる。【００１０】  実施例２は、ビニール構造に代えて、和紙または西洋紙で形成するので、ダニが這い上りやすく、捕獲効果は増大する。【００１１】  以上の両実施例において、捕獲後は、そのままごみ袋に入れて簡単、且、衛生的に捨てることができる。なお、餌は、毒入りの餌でもよい。
なお、本発明の構造、使用方法きわめて簡単で、家計にやさしい価格で入手できるので、家庭において積極的に使用できる等の諸効果を有するものである。
【図面の簡単な説明】
【００１２】
【図１】  図２の平面図
【図２】  使用前のビニール袋のＡ−Ａの縦断面図
【図３】  ビニール袋に餌を入れた場合のＡ−Ａの縦断面図
【発明を実施するための形態】
【００１３】  図において、１は小巾でチャック２付ビニール袋で、該ビニール袋１の開口部を長めにしてダニ這い上り坂３を形成し、該ダニ這い上り坂３の上側を短かめに切欠き４するか∪字状に切欠く。
また、ビニール袋１の上面には、ダニが通る程度のダニ入口５を開けた円すい孔６または円孔をを複数開けると共に該円すい孔６の周りに通気孔７を開け、ビニール袋
2019146558.tif 000005
のみのダニ入口を開けてもよい。なお、８は餌を示す。
【符号の説明】
【００１４】  １  ビニール袋        ４  切欠き          ７  通気孔
２  チャック          ５  ダニ入口        ８  餌
３  ダニ這い上り坂    ６  円すい孔
【図１】
2019146558.tif 000007
【図２】
2019146558.tif 000008
【図３】
2019146558.tif 000009
【手続補正書】
【提出日】平成30年6月19日(2018.6.19)
【手続補正１】
【補正対象書類名】明細書
【補正対象項目名】０００５
【補正方法】変更
【補正の内容】
【０００５】  実施例１の図１から図３は、小巾でチャック付ビニール袋の開口部に長めのダニ這い上り坂を形成すると共に該上端を短かめにするか、Ｕ字状に切欠き、ビニール袋の上面には、ダニが通る程度のダニ入口を開けた円すい孔または円孔を複数開けると共に、該回りに通気孔を複数開け、また、ビニール袋とダニ這い上り坂の表面には刻み加工し、更には、ビニール袋の上面に▲上▼マークを付けたものである。
【手続補正２】
【補正対象書類名】明細書
【補正対象項目名】０００８
【補正方法】変更
【補正の内容】
【０００８】  ダニを捕獲する時は、図３のように、ビニール袋内に餌を入れ、チャックを閉めれば、餌はビニール袋内に密閉され、ダニ入口と通気孔から匂いを発散する。
然る後、▲上▼マークを上にして適所に配置すれば、ダニ入口と通気孔から発散される匂いに誘われたダニは、ダニ入口からビニール袋内に連続的に入って餌に群がるので、多量のダニを効果的に捕獲することができる。
【手続補正３】
【補正対象書類名】明細書
【補正対象項目名】００１３
【補正方法】変更
【補正の内容】
【００１３】  図において、１は小巾でチャック２付きビニール袋で、該ビニール袋１の開口部を長めにしてダニ這い上り坂３を形成し、該ダニ這い上り坂３の上側を短かめに切欠き４するかＵ字状に切欠く。
また、ビニール袋１の上面には、ダニが通る程度のダニ入口５を開けた円すい孔６または円孔を複数開けると共に該円すい孔６の周りに通気孔７を開け、ビニール袋１とダニ這い上り坂３の表面には刻み加工し、更には、ビニール袋１の上面に▲上▼マークを付け、▲上▼マークを上側にして配置するようにしている。なお、円すい孔６の代りに丸孔のみのダニ入口を開けてもよい。なお、８は餌を示す。
【手続補正４】
【補正対象書類名】特許請求の範囲
【補正対象項目名】全文
【補正方法】変更
【補正の内容】
【特許請求の範囲】
【請求項１】
小巾でチャック付ビニール袋の開口部に長めのダニ這い上り坂を形成すると共に該上側を短かめにするか、Ｕ字状に切欠き、ビニール袋の上面には、ダニが通る程度のダニ入口を開けた、円すい孔または円孔を複数開けると共に、該周りに通気孔を複数開け、また、ビニール袋とダニ這い上り坂の表面には刻み加工し、更には、ビニール袋の上面に▲上▼マークを付けたことを特徴とするチャック付ビニール袋を利用したダニ取り器。
【請求項２】
ビニール袋に代えて、和紙または西洋紙で形成することを特徴とする請求項１記載のチャック付ビニール袋を利用したダニ取り器。
【手続補正書】
【提出日】平成30年8月21日(2018.8.21)
【手続補正１】
【補正対象書類名】明細書
【補正対象項目名】全文
【補正方法】変更
【補正の内容】
【発明の詳細な説明】
【技術分野】
【０００１】  本発明は、チャック付ビニール袋を利用したダニ取り器に関する。
【背景技術】
【０００２】  従来、ダニ取り器は各種あるが、どれも高価であるため利用し難かった。
【先行技術】
【０００３】
【特許文献】１、特許第５９１２１６８号  ダニ取り器  ２、特許第５９１２２０４号  ダニ取り器  ３、特許第６０３０７８９号  ダニ取り器  ４、特許第６０３４５２３号  ダニ取り器
【発明の概要】
【発明が解決しようとする課題】
【０００４】  ダニを確実に捕獲するダニ取り器を、家計にやさしい格安の価格で提供することを目的とする。
【課題を解決するための手段】
【０００５】  実施例１の図１から図３は、小巾でチャック付ビニール袋の開口部に、一定長さのダニ這い上り坂を形成すると共に、該上側を切欠き、段状にし、また、ビニール袋の上面に、複数の円すい孔を下方に向けて形成し、該円すい孔の下部にダニが通る程度のダニ入口を開けると共に、円すい孔の周りに通気孔を複数開け、また、ビニール袋とダニ這い上り坂の表面に刻み加工し、ビニール袋の上面には、上という文字を○で囲ったマークを付け、使用時、該マークを上に向けて配置するようにしたものである。【０００６】  なお、ダニが入りやすいように、ビニール袋の上面を黒色にし、下部を透明にしてダニの捕獲状況が分るようにしたがよい。
また、ダニ入口を下面に開けて、下面のダニが入りやすいようにしてもよい。【０００７】  実施例２は、実施例１（図１から図３）と同構造のものを和紙または西洋紙で形成するものである。
【発明の効果】
【０００８】
2019146558.tif 000010
ャックを閉めれば、餌はビニール袋内に密閉され、ダニ入口と通気孔から匂いを発散する。
然る後、上マークを上にして適所に配置すれば、ダニ入口と通気孔から発散される匂いに誘われたダニは、ダニ入口からビニール袋内に連続的に入って餌に群がるので、多量のダニを効果的に捕獲することができる。【０００９】  このとき、ビニール袋には長めのダニ這い上り坂を設けて床になじみやすくし、且、上側を切り欠いて、段状にしたので、ダニは這い上りやすく、這い上ったダニはビニール袋内に入り、効果的に捕獲することができる。また、ダニ入口は、円すい効果で入りやすく、且、入ったダニは逃がれないので、この点からも、有効に捕獲することができる。
更に、ビニール袋上面とダニ這い上り坂は刻みを形成したのでダニは這い上りやすく、また、ビニール袋にはダニ入口と通気孔があり、換気性が良いので、ダニは嫌気せずにビニール袋内に入る。
したがって、捕獲効果を更に増大することができる。【００１０】  実施例２は、ビニール構造に代えて、和紙または西洋紙で形成するので、ダニが這い上りやすく、捕獲効果は増大する。【００１１】  以上の両実施例において、捕獲後は、そのままごみ袋に入れて簡単、且、衛生的に捨てることができる。なお、餌は毒入りの餌でもよい。
2019146558.tif 000011
入手できるので、家庭において積極的に使用できる等の諸効果を有するものである。
【図面の簡単な説明】
【００１２】
【図１】図２の平面図
【図２】使用前のビニール袋のＡ−Ａの縦断面図
【図３】ビニール袋に餌を入れた場合のＡ−Ａの縦断面図
【発明を実施するための形態】
【００１３】  図において、１は小巾でチャック２付ビニール袋で、該ビール袋１の開口部を長めにしてダニ這い上り坂３を形成し、該ダニ這い上り坂３の上側を切欠き、段状にしている。
また、ビニール袋１の上面には、ダニが通る程度のダニ入口５を開けた円すい孔６を複数開けると共に該円すい孔６の周りに通気孔７を開け、ビニール袋１とダニ這い上り坂３の表面には刻み加工し、更には、ビニール袋１の上面に上マークを付け、上マークを上側にして配置するようにしている。なお、円すい孔６の代りに丸孔ののみのダニ入口を開けてもよい。なお８は餌を示す。
【符号の説明】
【００１４】１  ビニール袋                  ４  切欠き                ７  通気孔
２  チャック                    ５  ダニ入口              ８  餌
３  ダニ這い上り坂              ６  円すい孔
【手続補正２】
【補正対象書類名】特許請求の範囲
【補正対象項目名】全文
【補正方法】変更
【補正の内容】
【特許請求の範囲】
【請求項１】
小巾でチャック付きビニール袋の開口部に、一定長さのダニ這い上り坂を形成すると共に、該上側を切欠き、段状にし、また、ビニール袋の上面に、複数の円すい孔を下方に向けて形成し、該円すい孔の下部にダニが通る程度のダニ入口を開けると共に、円すい孔の周りに通気孔を複数開け、また、ビニール袋とダニ這い上り坂の表面に刻み加工し、ビニール袋の上面には、上という文字を○で囲ったマークを付け、使用時、該マークを上に向けて配置するようにしたことを特徴とするチャック付ビニール袋を利用したダニ取り器。
【請求項２】
ビニール袋に代えて、和紙またわ西洋紙で形成することを特徴とする請求項１記載のチャック付ビニール袋を利用したダニ取り器。